(57)【特許請求の範囲】
【請求項１】
ウェブブラウザを備えたクライアント装置と、前記クライアント装置に関する販売関連情報を保持する第１データベースと、前記クライアント装置の販売店の広告関連情報を保持する第２データベースと、前記第１データベース及び前記第２データベースを管理するとともにウェブページ閲覧要求に対してウェブページを提供するサーバ装置と、を含んで構成される広告提供システムであって、
前記販売関連情報は、前記クライアント装置の販売店の情報を含み、
前記サーバ装置は、
前記クライアント装置からのウェブページ閲覧要求を受けて、前記クライアント装置の端末識別情報を取得する端末情報取得手段と、
前記端末情報取得手段で取得された端末識別情報をもとに、前記クライアント装置に関する販売関連情報を第１データベースから取得する販売情報取得手段と、
前記販売情報取得手段で取得された販売関連情報をもとに、前記クライアント装置の販売店の広告関連情報を取得する広告情報取得手段と、
前記広告情報取得手段で取得された広告関連情報を前記クライアント装置に送信して前記クライアント装置に前記販売店のウェブページを提供する広告情報送信手段と、
を有することを特徴とする広告提供システム。
【請求項２】
前記第１データベースは、クライアント装置の販売店及び販売時期を含む前記販売関連情報を該クライアント装置の端末識別情報に関連付けて保持し、
前記第２データベースは、販売店のウェブページのＵＲＬを含む前記広告関連情報を前記販売関連情報に関連付けて保持し、
前記サーバ装置は、前記第１データベースを管理し、前記販売情報取得手段を有するメーカーサーバと、前記第２データベースを管理し、前記端末情報取得手段、前記広告情報取得手段及び前記広告情報送信手段を有する広告業者サーバと、からなり、
前記広告業者サーバは、前記端末情報取得手段で取得されたクライアント装置の端末識別情報を前記メーカーサーバに送信し、前記クライアント装置に関する販売関連情報を要求し、
前記メーカーサーバは、前記販売情報取得手段により、前記広告業者サーバからの前記端末識別情報を用いて、該情報に関連付けられた販売関連情報を前記第１データベースから検索して前記広告業者サーバに送信し、
前記広告業者サーバは、前記広告情報取得手段により、前記メーカーサーバからの前記販売関連情報を用いて、該情報に関連付けられた販売店のウェブページのＵＲＬを前記第２データベースから検索し、前記広告情報送信手段により、前記ウェブページを前記クライアント装置に送信することを特徴とする請求項１に記載の広告提供システム。
【請求項３】
前記第１データベースは、クライアント装置の販売店及び販売時期を含む前記販売関連情報を該クライアント装置の端末識別情報に関連付けて保持し、
前記第２データベースは、販売店のウェブページのＵＲＬを含む前記広告関連情報を前記販売関連情報に関連付けて保持し、
前記サーバ装置は、前記第１データベースを管理し、前記端末情報取得手段、前記販売情報取得手段及び前記広告情報送信手段を有するメーカーサーバと、前記第２データベースを管理し、前記広告情報取得手段を有する広告業者サーバと、からなり、
前記メーカーサーバは、前記販売情報取得手段により、前記端末情報取得手段で取得されたクライアント装置の端末識別情報を用いて、該情報に関連付けられた販売関連情報を前記第１データベースから検索し、前記広告業者サーバに前記広告関連情報を要求し、
前記広告業者サーバは、前記広告情報取得手段により、前記メーカーサーバからの前記販売関連情報を用いて、該情報に関連付けられた販売店のウェブページのＵＲＬを前記第２データベースから検索して前記メーカーサーバに送信し、
前記メーカーサーバは、前記広告情報送信手段により、前記ウェブページを前記クライアント装置に送信することを特徴とする請求項１に記載の広告提供システム。
【請求項４】
前記端末情報取得手段は、ＡｃｔｉｖｅＸを用いて構成されていることを特徴とする請求項１から３のいずれか１項に記載の広告提供システム。
【請求項５】
前記クライアント装置は、該クライアント装置のメーカーのウェブページと該クライアント装置の販売店のウェブページをタブ形式で表示することを特徴とする請求項１から４のいずれか１項に記載の広告提供システム。
【請求項６】
前記クライアント装置は、該クライアント装置の販売店のウェブページをブックマーク登録することを特徴とする請求項１から４のいずれか１項に記載の広告提供システム。
【請求項７】
前記サーバ装置は、前記端末情報取得手段により、前記クライアント装置から正規表現で表された端末識別情報を取得し、前記販売情報取得手段により、前記正規表現で表された端末識別情報を用いて前記販売関連情報を取得し、前記広告情報取得手段により、前記取得された販売関連情報を用いて前記広告関連情報を取得し、前記広告情報送信手段により、前記取得された広告関連情報を前記クライアント装置に送信し、
前記クライアント装置は、前記サーバ装置より取得した広告関連情報から端末識別情報に関連する情報を選択して表示することを特徴とする請求項１から５のいずれか１項に記載の広告提供システム。
【請求項８】
ウェブブラウザを備えたクライアント装置と、前記クライアント装置に関する販売関連情報を保持する第１データベースと、前記クライアント装置の販売店の広告関連情報を保持する第２データベースと、ともに広告提供システムを構成し、前記第１データベース及び前記第２データベースを管理するとともにウェブページ閲覧要求に対してウェブページを提供するサーバ装置であって、
前記販売関連情報は、前記クライアント装置の販売店の情報を含み、
前記クライアント装置からのウェブページ閲覧要求を受けて、前記クライアント装置の端末識別情報を取得する端末情報取得手段と、
前記端末情報取得手段で取得された端末識別情報をもとに、前記クライアント装置に関する販売関連情報を前記第１データベースから取得する販売情報取得手段と、
前記販売情報取得手段で取得された販売関連情報をもとに、前記クライアント装置の販売店の広告関連情報を取得する広告情報取得手段と、
前記広告情報取得手段で取得された広告関連情報を前記クライアント装置に送信して前記クライアント装置に前記販売店のウェブページを提供する広告情報送信手段と、
を有することを特徴とするサーバ装置。
【請求項９】
前記端末情報取得手段は、ＡｃｔｉｖｅＸを用いて構成されていることを特徴とする請求項８に記載のサーバ装置。
【請求項１０】
ウェブブラウザを備えたクライアント装置と、前記クライアント装置に関する販売関連情報を保持する第１データベースと、前記クライアント装置の販売店の広告関連情報を保持する第２データベースと、前記第１データベース及び前記第２データベースを管理するとともにウェブページ閲覧要求に対してウェブページを提供するサーバ装置と、を含んで構成される広告提供システムにおける広告提供方法であって、
前記販売関連情報は、前記クライアント装置の販売店の情報を含み、
前記サーバ装置が、前記クライアント装置からのウェブページ閲覧要求を受けて、前記クライアント装置の端末識別情報を取得する端末情報取得ステップと、
前記サーバ装置が、前記端末情報取得ステップで取得された端末識別情報をもとに、前記クライアント装置に関する販売関連情報を第１データベースから取得する販売情報取得ステップと、
前記サーバ装置が、前記販売情報取得ステップで取得された販売関連情報をもとに、前記クライアント装置の販売店の広告関連情報を取得する広告情報取得ステップと、
前記サーバ装置が、前記広告情報取得ステップで取得された広告関連情報を前記クライアント装置に送信して前記クライアント装置に前記販売店のウェブページを提供する広告情報送信ステップと、
を有することを特徴とする広告提供方法。
【請求項１１】
前記第１データベースは、クライアント装置の販売店及び販売時期を含む前記販売関連情報を該クライアント装置の端末識別情報に関連付けて保持し、
前記第２データベースは、販売店のウェブページのＵＲＬを含む前記広告関連情報を前記販売関連情報に関連付けて保持し、
前記サーバ装置は、前記第１データベースを管理するメーカーサーバと、前記第２データベースを管理する広告業者サーバと、からなり、
前記広告業者サーバが、前記端末情報取得ステップでクライアント装置の端末識別情報を取得し、取得された前記端末識別情報を前記メーカーサーバに送信し、前記クライアント装置に関する販売関連情報を要求し、
前記メーカーサーバが、前記販売情報取得ステップで、前記広告業者サーバからの前記端末識別情報を用いて、該情報に関連付けられた販売関連情報を前記第１データベースから検索して前記広告業者サーバに送信し、
前記広告業者サーバが、前記広告情報取得ステップで、前記メーカーサーバからの前記販売関連情報を用いて、該情報に関連付けられた販売店のウェブページのＵＲＬを前記第２データベースから検索し、前記広告情報送信ステップで、前記ウェブページを前記クライアント装置に送信することを特徴とする請求項１０に記載の広告提供方法。
【請求項１２】
前記第１データベースは、クライアント装置の販売店及び販売時期を含む前記販売関連情報を該クライアント装置の端末識別情報に関連付けて保持し、
前記第２データベースは、販売店のウェブページのＵＲＬを含む前記広告関連情報を前記販売関連情報に関連付けて保持し、
前記サーバ装置は、前記第１データベースを管理するメーカーサーバと、前記第２データベースを管理する広告業者サーバと、からなり、
前記メーカーサーバが、前記端末情報取得ステップで、クライアント装置の端末識別情報を取得し、前記販売情報取得ステップで、前記端末識別情報を用いて、該情報に関連付けられた販売関連情報を前記第１データベースから検索し、前記広告業者サーバに前記広告関連情報を要求し、
前記広告業者サーバが、前記広告情報取得ステップにより、前記メーカーサーバからの前記販売関連情報を用いて、該情報に関連付けられた販売店のウェブページのＵＲＬを前記第２データベースから検索して前記メーカーサーバに送信し、
前記メーカーサーバが、前記広告情報送信ステップにより、前記ウェブページを前記クライアント装置に送信することを特徴とする請求項１０に記載の広告提供方法。
【請求項１３】
ウェブブラウザを備えたクライアント装置と、前記クライアント装置に関する販売関連情報を保持する第１データベースと、前記クライアント装置の販売店の広告関連情報を保持する第２データベースと、前記第１データベース及び前記第２データベースを管理するとともにウェブページ閲覧要求に対してウェブページを提供するサーバ装置と、を含んで構成される広告提供システムで用いられるプログラムであって、
前記販売関連情報は、前記クライアント装置の販売店の情報を含み、
前記サーバ装置のコンピュータに、
前記クライアント装置からのウェブページ閲覧要求を受けて、前記クライアント装置の端末識別情報を取得する端末情報取得処理と、
前記端末情報取得処理で取得された端末識別情報をもとに、前記クライアント装置に関する販売関連情報を第１データベースから取得する販売情報取得処理と、
前記販売情報取得処理で取得された販売関連情報をもとに、前記クライアント装置の販売店の広告関連情報を取得する広告情報取得処理と、
前記広告情報取得処理で取得された広告関連情報を前記クライアント装置に送信して前記クライアント装置に前記販売店のウェブページを提供する広告情報送信処理と、
を実行させることを特徴とするプログラム。
【請求項１４】
前記第１データベースは、クライアント装置の販売店及び販売時期を含む前記販売関連情報を該クライアント装置の端末識別情報に関連付けて保持し、
前記第２データベースは、販売店のウェブページのＵＲＬを含む前記広告関連情報を前記販売関連情報に関連付けて保持し、
前記サーバ装置は、前記第１データベースを管理するメーカーサーバと、前記第２データベースを管理する広告業者サーバと、からなり、
前記広告業者サーバに、前記端末情報取得処理でクライアント装置の端末識別情報を取得させ、取得された前記端末識別情報を前記メーカーサーバに送信させ、前記クライアント装置に関する販売関連情報を要求させ、
前記メーカーサーバに、前記端末情報取得処理で、前記広告業者サーバからの前記端末識別情報を用いて、該情報に関連付けられた販売関連情報を前記第１データベースから検索して前記広告業者サーバに送信させ、
前記広告業者サーバに、前記広告情報取得処理で、前記メーカーサーバからの前記販売関連情報を用いて、該情報に関連付けられた販売店のウェブページのＵＲＬを前記第２データベースから検索させ、前記広告情報送信処理で、前記ウェブページを前記クライアント装置に送信させることを特徴とする請求項１３に記載のプログラム。
【請求項１５】
前記第１データベースは、クライアント装置の販売店及び販売時期を含む前記販売関連情報を該クライアント装置の端末識別情報に関連付けて保持し、
前記第２データベースは、販売店のウェブページのＵＲＬを含む前記広告関連情報を前記販売関連情報に関連付けて保持し、
前記サーバ装置は、前記第１データベースを管理するメーカーサーバと、前記第２データベースを管理する広告業者サーバと、からなり、
前記メーカーサーバに、前記端末情報取得処理で、クライアント装置の端末識別情報を取得させ、前記販売情報取得処理で、前記端末識別情報を用いて、該情報に関連付けられた販売関連情報を前記第１データベースから検索させ、前記広告業者サーバに前記広告関連情報を要求させ、
前記広告業者サーバに、前記広告情報取得処理により、前記メーカーサーバからの前記販売関連情報を用いて、該情報に関連付けられた販売店のウェブページのＵＲＬを前記第２データベースから検索して前記メーカーサーバに送信させ、
前記メーカーサーバに、前記広告情報送信処理により、前記ウェブページを前記クライアント装置に送信させることを特徴とする請求項１３に記載のプログラム。
【請求項１６】
請求項１３から１５のいずれか１項に記載のプログラムを記載しコンピュータ読み取り可能なことを特徴とする記録媒体。
【発明の詳細な説明】
【技術分野】
【０００１】
本発明は、広告提供システム、サーバ装置、広告提供方法、プログラム及び記録媒体に関し、特に、情報処理装置の法人ユーザに対するダイレクトマーケティングに好ましく適用される技術に関するものである。
【背景技術】
【０００２】
ＰＣや携帯電話機等の情報処理装置を企業単位あるいは事業所単位で購入して利用する法人ユーザに対して、装置の買い替えやＯＳの入れ替えを勧める販売会社の営業活動は、メールで行う場合が多い。しかし、このようなメールによる販売促進は、大量の顧客に向けて嵌単に行うことができるというメリットがある反面、個人情報管理の煩雑さやアドレス変更への対応の困難さといったデメリットも持ち合わせる。
【０００３】
例えば特許文献１では、ユーザにマッチした電子広告を効率よく配信することに資する嗜好分析方法が開示されている。当該嗜好分析方法では、クライアントから中継要求された広告ＩＤに基づいて広告嗜好ベクトルを求め、該広告嗜好ベクトルを中継要求したユーザのユーザ嗜好ベクトルに加算してユーザ嗜好ベクトルを生成する。そして、広告主から取得した抽出用嗜好ベクトルと各ユーザの嗜好ベクトルとの内積を算出し、内積の小さいユーザを広告の嗜好にマッチした対象者として広告主に知らせる。このようにして、広告主の広告提供をサポートしている。
【先行技術文献】
【特許文献】
【０００４】
【特許文献１】特開２００２−７３６４６号公報
【発明の概要】
【発明が解決しようとする課題】
【０００５】
特許文献１による方法は、ユーザが残した中継要求履歴を分析してユーザごとにマッチした広告提供を行うものであり、個人ユーザに対して有効な方法といえる。つまり、企業の社員ごとにマッチした広告提供が行われることになる。しかしながら、法人ユーザは、企業単位あるいは事業所単位で単一の商品（ＰＣ、ＯＳ、周辺機器等）を大量に購入して利用するため、その法人にマッチした広告提供が行われるわけではない特許文献１による方法は、販売促進の実効性が乏しい。また、ユーザがある程度の履歴を残す必要があり、購入後すぐにユーザ向けの広告を提供することが困難である。
【０００６】
むしろ、法人ユーザの各端末がインターネット接続して開くホームページに広告主（販売会社）の電子広告が表示されるようにした方が販売促進の実効性が高いといえる。ウェブブラウザのホームページアドレスは、ブラウザの設定情報に記録されており、インターネット接続直後の端末ホームページとして販売会社のウェブページを表示したい場合には該設定情報に記録する必要がある。
【０００７】
しかし、一般的に、ＰＣ等の端末装置は、出荷前に端末メーカーのホームページアドレスがブラウザの設定情報に記録されるため、出荷前に出荷する販売会社ごとにブラウザ設定を行わない限り、販売会社のホームページアドレスが記録された状態で出荷することは不可能である。出荷する販売会社ごとにブラウザ設定するには、工場出荷マスタをカスタマイズしなければならず、これを行うには大きなコストがかかってしまい、現実的には対応が困難である。
【０００８】
そこで、本発明は、上述した事情に鑑みて、法人ユーザごとにマッチした広告情報を提供して法人ユーザに対する営業活動を実効的にサポートできるようにすることを目的とする。
【課題を解決するための手段】
【００１０】
本発明の一側面である広告提供システムは、ウェブブラウザを備えたクライアント装置と、前記クライアント装置に関する販売関連情報を保持する第１データベースと、前記クライアント装置の販売店の広告関連情報を保持する第２データベースと、前記第１データベース及び前記第２データベースを管理するとともにウェブページ閲覧要求に対してウェブページを提供するサーバ装置と、を含んで構成される広告提供システムであって、前記販売関連情報は、前記クライアント装置の販売店の情報を含み、前記サーバ装置は、前記クライアント装置からのウェブページ閲覧要求を受けて、前記クライアント装置の端末識別情報を取得する端末情報取得手段と、前記端末情報取得手段で取得された端末識別情報をもとに、前記クライアント装置に関する販売関連情報を第１データベースから取得する販売情報取得手段と、前記販売情報取得手段で取得された販売関連情報をもとに、前記クライアント装置の販売店の広告関連情報を取得する広告情報取得手段と、前記広告情報取得手段で取得された広告関連情報を前記クライアント装置に送信して前記クライアント装置に前記販売店のウェブページを提供する広告情報送信手段と、を有する。
【００１１】
上記の広告提供システムは、一の態様として、第１データベースが、クライアント装置の販売店及び販売時期を含む販売関連情報を該クライアント装置の端末識別情報に関連付けて保持し、第２データベースが、販売店のウェブページのＵＲＬを含む広告関連情報を販売関連情報に関連付けて保持し、サーバ装置が、第１データベースを管理し、販売情報取得手段を有するメーカーサーバと、第２データベースを管理し、端末情報取得手段、広告情報取得手段及び広告情報送信手段を有する広告業者サーバと、からなり、広告業者サーバが、端末情報取得手段で取得されたクライアント装置の端末識別情報をメーカーサーバに送信し、クライアント装置に関する販売関連情報を要求し、メーカーサーバが、販売情報取得手段により、広告業者サーバからの端末識別情報を用いて、該情報に関連付けられた販売関連情報を第１データベースから検索して広告業者サーバに送信し、広告業者サーバが、広告情報取得手段により、メーカーサーバからの販売関連情報を用いて、該情報に関連付けられた販売店のウェブページのＵＲＬを第２データベースから検索し、広告情報送信手段により、ウェブページをクライアント装置に送信するものであってもよい。
【００１２】
また、別の態様として、第１データベースが、クライアント装置の販売店及び販売時期を含む販売関連情報を該クライアント装置の端末識別情報に関連付けて保持し、第２データベースが、販売店のウェブページのＵＲＬを含む広告関連情報を販売関連情報に関連付けて保持し、サーバ装置が、第１データベースを管理し、端末情報取得手段、販売情報取得手段及び広告情報送信手段を有するメーカーサーバと、第２データベースを管理し、広告情報取得手段を有する広告業者サーバと、からなり、メーカーサーバが、販売情報取得手段により、端末情報取得手段で取得されたクライアント装置の端末識別情報を用いて、該情報に関連付けられた販売関連情報を第１データベースから検索し、広告業者サーバに広告関連情報を要求し、広告業者サーバが、広告情報取得手段により、メーカーサーバからの販売関連情報を用いて、該情報に関連付けられた販売店のウェブページのＵＲＬを第２データベースから検索してメーカーサーバに送信し、メーカーサーバが、広告情報送信手段により、ウェブページをクライアント装置に送信するものであってもよい。
【００１３】
本発明の一側面であるサーバ装置は、ウェブブラウザを備えたクライアント装置と、前記クライアント装置に関する販売関連情報を保持する第１データベースと、前記クライアント装置の販売店の広告関連情報を保持する第２データベースと、ともに広告提供システムを構成し、前記第１データベース及び前記第２データベースを管理するとともにウェブページ閲覧要求に対してウェブページを提供するサーバ装置であって、前記販売関連情報は、前記クライアント装置の販売店の情報を含み、前記クライアント装置からのウェブページ閲覧要求を受けて、前記クライアント装置の端末識別情報を取得する端末情報取得手段と、前記端末情報取得手段で取得された端末識別情報をもとに、前記クライアント装置に関する販売関連情報を前記第１データベースから取得する販売情報取得手段と、前記販売情報取得手段で取得された販売関連情報をもとに、前記クライアント装置の販売店の広告関連情報を取得する広告情報取得手段と、前記広告情報取得手段で取得された広告関連情報を前記クライアント装置に送信して前記クライアント装置に前記販売店のウェブページを提供する広告情報送信手段と、を有する。
【００１４】
本発明の一側面である広告提供方法は、ウェブブラウザを備えたクライアント装置と、前記クライアント装置に関する販売関連情報を保持する第１データベースと、前記クライアント装置の販売店の広告関連情報を保持する第２データベースと、前記第１データベース及び前記第２データベースを管理するとともにウェブページ閲覧要求に対してウェブページを提供するサーバ装置と、を含んで構成される広告提供システムにおける広告提供方法であって、前記販売関連情報は、前記クライアント装置の販売店の情報を含み、前記サーバ装置が、前記クライアント装置からのウェブページ閲覧要求を受けて、前記クライアント装置の端末識別情報を取得する端末情報取得ステップと、前記サーバ装置が、前記端末情報取得ステップで取得された端末識別情報をもとに、前記クライアント装置に関する販売関連情報を第１データベースから取得する販売情報取得ステップと、前記サーバ装置が、前記販売情報取得ステップで取得された販売関連情報をもとに、前記クライアント装置の販売店の広告関連情報を取得する広告情報取得ステップと、前記サーバ装置が、前記広告情報取得ステップで取得された広告関連情報を前記クライアント装置に送信して前記クライアント装置に前記販売店のウェブページを提供する広告情報送信ステップと、を有する。
【００１５】
上記の広告提供方法は、一の態様として、第１データベースが、クライアント装置の販売店及び販売時期を含む販売関連情報を該クライアント装置の端末識別情報に関連付けて保持し、第２データベースが、販売店のウェブページのＵＲＬを含む広告関連情報を販売関連情報に関連付けて保持し、サーバ装置が、第１データベースを管理するメーカーサーバと、第２データベースを管理する広告業者サーバと、からなり、広告業者サーバが、端末情報取得ステップでクライアント装置の端末識別情報を取得し、取得された端末識別情報をメーカーサーバに送信し、クライアント装置に関する販売関連情報を要求し、メーカーサーバが、販売情報取得ステップで、広告業者サーバからの端末識別情報を用いて、該情報に関連付けられた販売関連情報を第１データベースから検索して広告業者サーバに送信し、広告業者サーバが、広告情報取得ステップで、メーカーサーバからの販売関連情報を用いて、該情報に関連付けられた販売店のウェブページのＵＲＬを第２データベースから検索し、広告情報送信ステップで、ウェブページを前記クライアント装置に送信するものであってもよい。
【００１６】
また、別の態様として、第１データベースが、クライアント装置の販売店及び販売時期を含む販売関連情報を該クライアント装置の端末識別情報に関連付けて保持し、第２データベースが、販売店のウェブページのＵＲＬを含む広告関連情報を販売関連情報に関連付けて保持し、サーバ装置が、第１データベースを管理するメーカーサーバと、第２データベースを管理する広告業者サーバと、からなり、メーカーサーバが、端末情報取得ステップで、クライアント装置の端末識別情報を取得し、販売情報取得ステップで、端末識別情報を用いて、該情報に関連付けられた販売関連情報を第１データベースから検索し、広告業者サーバに広告関連情報を要求し、広告業者サーバが、広告情報取得ステップにより、メーカーサーバからの販売関連情報を用いて、該情報に関連付けられた販売店のウェブページのＵＲＬを第２データベースから検索してメーカーサーバに送信し、メーカーサーバが、広告情報送信ステップにより、ウェブページをクライアント装置に送信するものであってもよい。
【００１７】
本発明の一側面であるプログラムは、ウェブブラウザを備えたクライアント装置と、前記クライアント装置に関する販売関連情報を保持する第１データベースと、前記クライアント装置の販売店の広告関連情報を保持する第２データベースと、前記第１データベース及び前記第２データベースを管理するとともにウェブページ閲覧要求に対してウェブページを提供するサーバ装置と、を含んで構成される広告提供システムで用いられるプログラムであって、前記販売関連情報は、前記クライアント装置の販売店の情報を含み、前記サーバ装置のコンピュータに、前記クライアント装置からのウェブページ閲覧要求を受けて、前記クライアント装置の端末識別情報を取得する端末情報取得処理と、前記端末情報取得処理で取得された端末識別情報をもとに、前記クライアント装置に関する販売関連情報を第１データベースから取得する販売情報取得処理と、前記販売情報取得処理で取得された販売関連情報をもとに、前記クライアント装置の販売店の広告関連情報を取得する広告情報取得処理と、前記広告情報取得処理で取得された広告関連情報を前記クライアント装置に送信して前記クライアント装置に前記販売店のウェブページを提供する広告情報送信処理と、を実行させる。
【００１８】
上記のプログラムは、一の態様として、第１データベースが、クライアント装置の販売店及び販売時期を含む販売関連情報を該クライアント装置の端末識別情報に関連付けて保持し、第２データベースが、販売店のウェブページのＵＲＬを含む広告関連情報を販売関連情報に関連付けて保持し、サーバ装置が、第１データベースを管理するメーカーサーバと、第２データベースを管理する広告業者サーバと、からなり、広告業者サーバに、端末情報取得処理でクライアント装置の端末識別情報を取得させ、取得された端末識別情報をメーカーサーバに送信させ、クライアント装置に関する販売関連情報を要求させ、メーカーサーバに、端末情報取得処理で、広告業者サーバからの端末識別情報を用いて、該情報に関連付けられた販売関連情報を第１データベースから検索して広告業者サーバに送信させ、広告業者サーバに、広告情報取得処理で、メーカーサーバからの販売関連情報を用いて、該情報に関連付けられた販売店のウェブページのＵＲＬを第２データベースから検索させ、広告情報送信処理で、ウェブページをクライアント装置に送信させるものであってもよい。
【００１９】
また、別の態様として、第１データベースが、クライアント装置の販売店及び販売時期を含む販売関連情報を該クライアント装置の端末識別情報に関連付けて保持し、第２データベースが、販売店のウェブページのＵＲＬを含む広告関連情報を販売関連情報に関連付けて保持し、サーバ装置が、第１データベースを管理するメーカーサーバと、第２データベースを管理する広告業者サーバと、からなり、メーカーサーバに、端末情報取得処理で、クライアント装置の端末識別情報を取得させ、販売情報取得処理で、端末識別情報を用いて、該情報に関連付けられた販売関連情報を第１データベースから検索させ、広告業者サーバに広告関連情報を要求させ、広告業者サーバに、広告情報取得処理により、メーカーサーバからの販売関連情報を用いて、該情報に関連付けられた販売店のウェブページのＵＲＬを第２データベースから検索してメーカーサーバに送信させ、メーカーサーバに、広告情報送信処理により、ウェブページをクライアント装置に送信させるものであってもよい。
【００２０】
本発明の一側面である記録媒体は、上述したプログラムを記録したコンピュータ読み取り可能な記録媒体である。
【発明の効果】
【００２１】
本発明によれば、法人ユーザごとにマッチした広告情報を提供して法人ユーザに対する営業活動を実効的にサポートすることが可能となる。
【図面の簡単な説明】
【００２２】
【図１】本発明の実施形態に係る広告提供システムのシステム構成を示した図である。
【図２】本発明の実施形態に係るサーバ装置の機能構成を示した図である。
【図３】本発明の実施形態における販売関連情報及び広告関連情報の例を示した図である。
【図４】本発明の実施形態における広告提供の処理の流れを示した図である。
【図５】本発明の実施形態に係るサーバ装置の機能構成を示した図である。
【図６】本発明の実施形態における広告提供の処理の流れを示した図である。
【図７】本発明の実施形態に係る広告提供システムのシステム構成を示した図である。
【図８】本発明の実施形態に係るサーバ装置の機能構成を示した図である。
【図９】本発明の実施形態における広告提供の処理の流れを示した図である。
【図１０】本発明の実施形態における広告画面表示の例を示した図である。
【図１１】本発明の実施形態に係るクライアント装置の機能構成を示した図である。
【図１２】本発明の実施形態における広告提供の処理の流れを示した図である。
【発明を実施するための形態】
【００２３】
以下、本発明の実施形態について図面を参照して説明する。
【００２４】
［実施形態１］
本発明の第１の実施形態としての広告提供システムは、端末メーカーの持つ販売関連情報を利用して広告業者が広告をユーザに提供するものである。はじめに、構成について述べる。
【００２５】
図１は、本発明の第１の実施形態としての広告提供システムのシステム構成を示した図である。当該システムは、図１に示すように、ユーザＰＣ１、広告業者サーバ２、広告ＤＢ３、メーカーサーバ４、受注ＤＢ５を含んで構成され、ユーザＰＣ１と広告業者サーバ２とメーカーサーバ４とがネットワーク６を介して接続されている。
【００２６】
ユーザＰＣ１は、法人ユーザにより購入されて利用されるクライアント装置で、ウェブブラウザを備えた情報処理装置である。また、ユーザＰＣ１は、ネットワーク６を介してインターネット接続し、種々のウェブページを画面表示することができる。
【００２７】
広告業者サーバ２は、各種広告を提供する広告業者により運用されるサーバ装置で、広告関連情報を保持する広告ＤＢ３を管理するとともに、ユーザＰＣ１からのウェブ閲覧要求に応じてウェブページを送信するウェブサーバ機能を備える。広告業者サーバ２は、ＣＰＵ、メモリ、入出力装置等を有する一般的な情報処理装置で、ＣＰＵがメモリに格納された制御プログラムに従って装置全体の制御を行うとともに、専用プログラムを読み込んで、後述する本実施形態特有の広告提供処理を行う。
【００２８】
広告業者サーバ２は、ＣＰＵがメモリに格納された専用プログラムを読み込むことで、図２（ａ）に示すような、端末情報取得手段１２１、広告情報取得手段１２２、広告情報送信手段１２３を論理的に有する制御部１２０を主記憶上に構成する。端末情報取得手段１２１は、ユーザＰＣ１からのウェブページ閲覧要求を受けてユーザＰＣ１の端末識別情報を取得する。また、取得した端末識別情報をメーカーサーバ４に送信してユーザＰＣ１に関する販売関連情報を要求する。広告情報取得手段１２２は、メーカーサーバ４から受信した販売関連情報を用いて、ユーザＰＣ１に関する広告関連情報を広告ＤＢ３から取得する。広告情報送信手段１２３は、取得した広告関連情報からユーザＰＣ１にマッチした広告のウェブページを送信する。
【００２９】
広告ＤＢ３は、広告関連情報を保持するデータベースで、例えばＨＤＤ等で構成される記憶装置である。広告関連情報は、例えば図３（ｂ）に示すように、広告内容やウェブページＵＲＬであり、販売店、販売時期、ＯＳ、筺体種別等の販売関連情報に関連付けられて保持される。なお、広告関連情報の登録は、例えば販売店がユーザに打とうとする広告の内容やウェブページのＵＲＬ等の情報を広告業者に提供して広告表示の依頼を行い、該依頼を受けた広告業者により広告業者サーバを用いて行われる。
【００３０】
メーカーサーバ４は、ユーザＰＣ１等の情報処理装置を製造販売するメーカーにより運用されるサーバ装置で、販売関連情報を保持する受注ＤＢ５を管理する。メーカーサーバ４も、広告業者サーバ２と同様に、ＣＰＵ、メモリ、入出力装置等を有する一般的な情報処理装置で、ＣＰＵがメモリに格納された制御プログラムに従って装置全体の制御を行うとともに、専用プログラムを読み込んで、後述する本実施形態特有の広告提供処理を行う。
【００３１】
メーカーサーバ４は、ＣＰＵがメモリに格納された専用プログラムを読み込むことで、図２（ｂ）に示すような、販売情報取得手段１４１を論理的に有する制御部１４０を主記憶上に構成する。販売情報取得手段１４１は、広告業者サーバ２からの要求に応じて、広告業者サーバ２からの端末識別情報を用いて、ユーザＰＣ１に関連する販売関連情報を受注ＤＢ５から取得し、広告業者サーバ２に送信する。
【００３２】
受注ＤＢ５は、販売店からの受注記録を販売データとして販売関連情報を保持するデータベースで、例えばＨＤＤ等で構成される記憶装置である。販売関連情報は、例えば図３（ａ）に示すように、販売店、販売時期、ＯＳ、筺体種別であり、製造番号や型番といった端末識別情報に関連付けられて保持される。
【００３３】
続いて、本実施形態の広告提供システムにおける広告提供処理について説明する。
【００３４】
図４は、本実施形態における広告提供処理の流れを示した図である。まず、ユーザＰＣ１において、ユーザにより固定ＵＲＬが入力される（Ｓ１０１）。ここで入力されるＵＲＬは、端末出荷時にブラウザにホームページ設定されたメーカーのウェブページのＵＲＬである。この他にも、インターネットサービスプロバイダにより自動設定される該プロバイダのウェブページのＵＲＬであることも考えられる。
【００３５】
次いで、ユーザＰＣ１は、ウェブページの閲覧要求を広告業者サーバ２に送信する（Ｓ１０２）。広告業者サーバ２は、ユーザＰＣ１からの閲覧要求を受信する（Ｓ１０３）と、ＡｃｔｉｖｅＸを起動する（Ｓ１０４）。ＡｃｔｉｖｅＸは、ユーザＰＣ１のＲＯＭに格納された製造番号や型番をＢＩＯＳにより読み出して広告業者サーバ２に送信させる（Ｓ１０５、Ｓ１０６）。ＡｃｔｉｖｅＸを用いることで、ユーザが固定ＵＲＬを入力するだけで、他の特別の操作を要せず端末識別情報（製造番号、型番）を取得できる。ここでは、製造番号“ｔｋ１２３４５６”と型番“ｎｅ９８７６”が取得されたものとする。
【００３６】
また、広告業者サーバ２は、ユーザＰＣ１から製造番号及び型番を受信した（Ｓ１０７）後、製造番号及び型番といった端末識別情報とともに、販売関連情報の取得要求をメーカーサーバ４に送信する（Ｓ１０８）。
【００３７】
端末識別情報と販売関連情報の取得要求とを受信したメーカーサーバ４は、ユーザＰＣ１の製造番号及び型番に関連付けられた販売関連情報を受注ＤＢ５から検索する（Ｓ１０９、Ｓ１１０）。広告業者サーバ２から受信した製造番号と型番は“ｔｋ１２３４５６”、“ｎｅ９８７６”であるため、これに関連付けられた販売関連情報として、販売店“ａｂｃ商事”、販売時期“２００４／１０／２０”、ＯＳ“Ｗｉｎｄｏｗｓ（登録商標）  ＸＰ”、筺体種別“ノート”が受注ＤＢ５から抽出される（図３（ａ））。そして、メーカーサーバ４は、受注ＤＢ５から抽出したユーザＰＣ１に関する販売関連情報を広告業者サーバ２に送信する（Ｓ１１１）。
【００３８】
メーカーサーバ４から販売関連情報を受信した広告業者サーバ２は、該販売関連情報に関連付けられた広告関連情報を広告ＤＢ３から検索する（Ｓ１１２、Ｓ１１３）。メーカーサーバ４から受信した販売関連情報は“ａｂｃ商事”、“２００４／１０／２０”、“Ｗｉｎｄｏｗｓ（登録商標）  ＸＰ”、“ノート”であるため、これに関連付けられた広告関連情報として、広告内容“新型ノートＰＣの紹介”、ウェブページＵＲＬ“ｈｔｔｐ／／ａｂｃｓｙｏｊｉ．ｃｏ．ｊｐ／・・・”が広告ＤＢ３から抽出される（図３（ｂ））。
【００３９】
広告関連情報が販売店の依頼に応じて広告業者により広告ＤＢに登録するのは前述のとおりだが、販売関連情報は、図３に示すような販売関連情報との関連付けの他、販売店のみに関連付けて登録してもよく、また販売店と販売時期の２項目と関連付けて登録してもよい。このように販売関連情報と様々なパターンで関連付けて登録することで、販売戦略に応じて法人ユーザを特定して所望のプロモーションを図ることが可能である。
【００４０】
そして、広告業者サーバ２は、広告ＤＢ３から抽出したウェブページＵＲＬに対応する販売店のウェブページをユーザＰＣ１に送信する（Ｓ１１４）。ユーザＰＣ１は、広告業者サーバ２から受信した販売店のウェブページを画面表示する（Ｓ１１５、Ｓ１１６）。
【００４１】
このようにして、ユーザが固定ＵＲＬを入れてウェブ閲覧要求をするだけで、ユーザによる格別の操作を必要とすることなく、ユーザＰＣの販売店のウェブページが自動的に画面表示される。
【００４２】
［実施形態２］
本発明の第２の実施形態としての広告提供システムは、実施形態１と同様に、端末メーカーの持つ販売関連情報を利用して広告業者が広告をユーザに提供するものであるが、実施形態１と異なるのは、メーカーサーバがユーザＰＣからのウェブ閲覧要求に応じてウェブページを送信するウェブサーバ機能を備える点である。はじめに、構成について述べる。
【００４３】
システム構成は実施形態１と同様である（図１）ため説明を省略する。それぞれのサーバ装置の機能構成は、図５に示すように実施形態１と異なる。広告業者サーバ２は、ＣＰＵがメモリに格納された専用プログラムを読み込むことで、図５（ａ）に示すような、広告情報取得手段２２１を論理的に有する制御部２２０を主記憶上に構成する。広告情報取得手段２２１は、図２（ａ）の広告情報取得手段１２２と同様の機能を持つ。メーカーサーバ４は、ＣＰＵがメモリに格納された専用プログラムを読み込むことで、図５（ｂ）に示すような、端末情報取得手段２４１、販売情報取得手段２４２、広告情報送信手段２４３を論理的に有する制御部２４０を主記憶上に構成する。端末情報取得手段２４１、販売情報取得手段２４２、広告情報送信手段２４３は、図２（ａ）の端末情報取得手段１２１及び広告情報送信手段１２３、図２（ｂ）の販売情報取得手段１４１と同様の機能を持つ。
【００４４】
続いて、本実施形態の広告提供システムにおける広告提供処理について説明する。図６は、本実施形態における広告提供処理の流れを示した図である。まず、ユーザＰＣ１において、ユーザにより固定ＵＲＬが入力される（Ｓ２０１）。次いで、ユーザＰＣ１は、ウェブページの閲覧要求をメーカーサーバ４に送信する（Ｓ２０２）。メーカーサーバ４は、ユーザＰＣ１からの閲覧要求を受信する（Ｓ２０３）と、ＡｃｔｉｖｅＸを起動し（Ｓ２０４）、ユーザＰＣ１のＲＯＭに格納された製造番号や型番をＢＩＯＳにより読み出してメーカーサーバ４に送信させる（Ｓ２０５、Ｓ２０６）。ここでは、製造番号“ｄ５５３９９”と型番“ｄｓ８４３”が取得されたものとする。
【００４５】
そして、メーカーサーバ４は、ユーザＰＣ１から製造番号及び型番を受信した（Ｓ２０７）後、ユーザＰＣ１の製造番号及び型番に関連付けられた販売関連情報を受注ＤＢ５から検索する（Ｓ２０８）。ユーザＰＣ１から受信した製造番号と型番は“ｄ５５３９９”、“ｄｓ８４３”であるため、これに関連付けられた販売関連情報として、販売店“トップ電気”、販売時期“２００５／２／１５”、ＯＳ“Ｗｉｎｄｏｗｓ（登録商標）  ＸＰ”、筺体種別“ノート”が受注ＤＢ５から抽出される（図３（ａ））。そして、メーカーサーバ４は、受注ＤＢ５から抽出したユーザＰＣ１に関する販売関連情報とともに、広告関連情報の取得要求を広告業者サーバ２に送信する（Ｓ２０９）。
【００４６】
メーカーサーバ４から販売関連情報と広告関連情報の取得要求とを受信した広告業者サーバ２は、該販売関連情報に関連付けられた広告関連情報を広告ＤＢ３から検索する（Ｓ２１０、Ｓ２１１）。メーカーサーバ４から受信した販売関連情報は“トップ”、“２００５／２／１５”、“Ｗｉｎｄｏｗｓ（登録商標）  ＸＰ”、“ノート”であるため、これに関連付けられた広告関連情報として、広告内容“新型ノートＰＣの紹介”、ウェブページＵＲＬ“ｈｔｔｐ／／ｔｏｐｄｅｎｋｉ．ｃｏ．ｊｐ／・・・”が広告ＤＢ３から抽出される（図３（ｂ））。そして、広告業者サーバ２は、広告ＤＢ３から抽出した広告関連情報をメーカーサーバ４に送信する（Ｓ２１２）。
【００４７】
広告業者サーバ２から広告関連情報を受信したメーカーサーバ４は、ウェブページＵＲＬに対応する販売店のウェブページをユーザＰＣ１に送信する（Ｓ２１３、Ｓ２１４）。ユーザＰＣ１は、メーカーサーバ４から受信した販売店のウェブページを画面表示する（Ｓ２１５、Ｓ２１６）。
【００４８】
本実施形態でも、実施形態１と同様に、ユーザが固定ＵＲＬを入れてウェブ閲覧要求をするだけで、ユーザによる格別の操作を必要とすることなく、ユーザＰＣの販売店のウェブページが自動的に画面表示される。
【００４９】
［実施形態３］
本発明の第３の実施形態としての広告提供システムは、実施形態１や実施形態２と異なり、端末メーカーが販売関連情報及び広告関連情報を管理し、メーカーサーバがユーザＰＣからのウェブ閲覧要求に応じてウェブページを送信するウェブサーバ機能を備える。はじめに、構成について述べる。
【００５０】
図７は、本発明の第３の実施形態としての広告提供システムのシステム構成を示した図である。当該システムは、図７に示すように、ユーザＰＣ１、広告ＤＢ３、メーカーサーバ４、受注ＤＢ５を含んで構成され、ユーザＰＣ１とメーカーサーバ４とがネットワーク６を介して接続されている。各装置や各ＤＢは実施形態１や実施形態２と同様であるため説明を省略する。
【００５１】
サーバ装置の機能構成は、図８に示すように実施形態１や実施形態２と異なる。メーカーサーバ４は、ＣＰＵがメモリに格納された専用プログラムを読み込むことで、図８に示すような、端末情報取得手段３２１、販売情報取得手段３２２、広告情報取得手段３２３、広告情報送信手段３２４を論理的に有する制御部３２０を主記憶上に構成する。端末情報取得手段３２１、販売情報取得手段３２２、広告情報取得手段３２３、広告情報送信手段３２４は、図２や図５の端末情報取得手段、広告情報取得手段、広告情報送信手段、販売情報取得手段と同様の機能を持つ。
【００５２】
続いて、本実施形態の広告提供システムにおける広告提供処理について説明する。図９は、本実施形態における広告提供処理の流れを示した図である。まず、ユーザＰＣ１において、ユーザにより固定ＵＲＬが入力される（Ｓ３０１）。次いで、ユーザＰＣ１は、ウェブページの閲覧要求をメーカーサーバ４に送信する（Ｓ３０２）。メーカーサーバ４は、ユーザＰＣ１からの閲覧要求を受信する（Ｓ３０３）と、ＡｃｔｉｖｅＸを起動し（Ｓ３０４）、ユーザＰＣ１のＲＯＭに格納された製造番号や型番をＢＩＯＳにより読み出してメーカーサーバ４に送信させる（Ｓ３０５、Ｓ３０６）。ここでは、製造番号“ｋｕｓ２６８９９”と型番“ｔｅｓ３３１９９”が取得されたものとする。
【００５３】
そして、メーカーサーバ４は、ユーザＰＣ１から製造番号及び型番を受信した（Ｓ３０７）後、ユーザＰＣ１の製造番号及び型番に関連付けられた販売関連情報を受注ＤＢ５から検索する（Ｓ３０８）。ユーザＰＣ１から受信した製造番号と型番は“ｋｕｓ２６８９９”、“ｔｅｓ３３１９９”であるため、これに関連付けられた販売関連情報として、販売店“特電社”、販売時期“２００６／７／５”、ＯＳ“Ｗｉｎｄｏｗｓ（登録商標）  ＸＰ”、筺体種別“デスク”が受注ＤＢ５から抽出される（図３（ａ））。
【００５４】
次いで、メーカーサーバ４は、受注ＤＢ５から抽出したユーザＰＣ１に関する販売関連情報を用いて、ユーザＰＣ１に関する広告関連情報を広告ＤＢから検索する（Ｓ３０９）。受注ＤＢ５から抽出した販売関連情報は“特電社”、“２００６／７／５”、“Ｗｉｎｄｏｗｓ（登録商標）  ＸＰ”、“デスク”であるため、これに関連付けられた広告関連情報として、広告内容“最新ＯＳの紹介”、ウェブページＵＲＬ“ｈｔｔｐ／／ｔｏｋｕｄｅｎｓｙａ．ｃｏｍ／・・・”が広告ＤＢ３から抽出される（図３（ｂ））。メーカーサーバ４は、広告ＤＢ３から抽出したウェブページＵＲＬに対応する販売店のウェブページをユーザＰＣ１に送信する（Ｓ３１０）。
【００５５】
メーカーサーバ４から販売店のウェブページを受信したユーザＰＣ１は、受信したウェブページを画面表示する（Ｓ３１１、Ｓ３１２）。
【００５６】
本実施形態でも、実施形態１や実施形態２と同様に、ユーザが固定ＵＲＬを入れてウェブ閲覧要求をするだけで、ユーザによる格別の操作を必要とすることなく、ユーザＰＣの販売店のウェブページが自動的に画面表示される。
【００５７】
［実施形態４］
実施形態１から実施形態３では、メーカーのウェブページＵＲＬを入力して閲覧要求をした後に、ユーザＰＣの販売店のウェブページを画面表示するように構成していた。この場合、仮にメーカーのウェブページを見たい場合には、ユーザがメーカーのウェブページＵＲＬを再度キーボード等で入力する必要があった。そこで、このＵＲＬ再入力をせずに、メーカーのウェブページを閲覧できるようにするため、第４の実施形態として、メーカーウェブページと販売店ウェブページとをタブ形式で表示するように構成する。
【００５８】
図１０（ａ）に、ユーザＰＣにおけるウェブページの画面表示例を示す。本実施形態では、メーカーウェブページと販売店ウェブページとをタブ形式で表示したため、いずれか閲覧したいタブを指定するだけで、双方のウェブページを表示することが可能である。このように構成することで、ウェブページ検索のためのＵＲＬ入力が不要となり、また検索時間を短縮することができる。
【００５９】
［実施形態５］
法人ユーザ側がメーカーのウェブページをホームページとして表示することを望むような状況でも、販売店としてはユーザに広告を提供したいと考える場合もある。このような場合に対して、第５の実施形態として、メーカーのウェブページをホームページとして表示しつつ、販売店のウェブページを自動的にお気に入りリスト（ブックマーク）に登録しておくように構成する。
【００６０】
図１０（ｂ）に、ユーザＰＣにおけるウェブページの画面表示例を示す。本実施形態では、メーカーのウェブページをホームページとして表示しつつ、販売店のウェブページをお気に入りに登録しておくため、端末ユーザが任意に販売店の広告を閲覧することが可能である。このように構成することで、販売店の広告を提供したいというニーズと、端末ユーザのメーカーウェブページをホームページとして表示したいというニーズとを満たすことができる。
【００６１】
［実施形態６］
実施形態１から５では、サーバ側（広告業者サーバ２やメーカーサーバ４）でユーザＰＣ１の端末識別情報（製造番号や型番）を取得し、該情報に基づいて広告データ（ウェブページ）をユーザＰＣ１へ送信していた。製造番号や型番といった端末識別情報はＰＣを使用するユーザにとってプライベートな情報でもあり、端末識別情報がサーバ側にそのまま渡されることはプライバシー保護の観点から好ましくない場合も多い。そこで、第６の実施形態として、ユーザのプライバシー保護のため、サーバ側には正規表現で表された端末識別情報を渡し、サーバ側から正規表現の端末識別情報に関連する全ての広告データをユーザＰＣ１に送信し、ユーザＰＣ１では受信した全ての広告データから端末識別情報そのもの（正規表現でない端末識別情報）に関連する広告データを選択して表示するように構成する。以下、具体的に述べる。
【００６２】
ここでは、システム構成や装置構成（ユーザＰＣ１を除く）を実施形態１と同様として説明するが、実施形態２から５と同様とすることも可能である。本実施形態では、ユーザＰＣ１が実施形態１から５と異なる構成を持つため、ユーザＰＣ１について述べることとし、その他の装置については説明を省略する。
【００６３】
本実施形態のユーザＰＣ１は、法人ユーザにより購入されて利用されるクライアント装置で、ウェブブラウザを備えた情報処理装置であり、ネットワーク６を介してインターネット接続し、種々のウェブページを画面表示することができる。また、ユーザＰＣ１は、ＣＰＵがメモリに格納された専用プログラムを読み込むことで、図１１に示すような、端末情報変換手段４１１、端末情報送信手段４１２、表示広告選択手段４１３、広告表示手段４１４を論理的に有する制御部４１０を主記憶上に構成する。
【００６４】
端末情報変換手段４１１は、製造番号や型番といった端末識別情報を、正規表現で表されたデータに変換する。例えば、製造番号“ｔｋ１２３４５６”を“ｔｋ１２３＊＊６”（＊はワイルドカード）とすることができ、また正規表現で表す箇所について、３から５のいずれかにするといったものも可能であり、種々の方法で正規表現に置き換えることができる。端末情報送信手段４１２は、正規表現の端末識別情報（上記の例では“ｔｋ１２３＊＊６”）を広告業者サーバ２に送信する。表示広告選択手段４１３は、広告業者サーバ２から受信した正規表現の端末識別情報に関連する全ての広告データの中から、端末識別情報（上記の例では“ｔｋ１２３４５６”）に対応する広告データを選択する。広告表示手段４１４は、表示広告選択手段４１３で選択した広告データを表示する。
【００６５】
続いて、本実施形態の広告提供システムにおける広告提供処理について説明する。図１２は、本実施形態における広告提供処理の流れを示した図である。実施形態１における広告提供処理（図４）と異なるのは、広告業者サーバ２でＡｃｔｉｖｅＸが起動されユーザＰＣ１で製造番号・型番が読み出された後の処理（Ｓ４０６以降）である。
【００６６】
ユーザＰＣ１は、端末識別情報（製造番号・型番）を正規表現で表したデータに変換し（Ｓ４０６）、正規表現の端末識別情報を広告業者サーバ２に送信する（Ｓ４０７）。ここでは、製造番号のみ正規表現に置き換えられ、製造番号“ｔｋ１２３＊＊６”、型番“ｎｅ９８７６”が送信されたものとする。
【００６７】
広告業者サーバ２は、正規表現の端末識別情報を受信し（Ｓ４０８）、該情報とともに関連販売情報の取得要求をメーカーサーバ４に送信する（Ｓ４０９）。
【００６８】
正規表現の端末識別情報と販売関連情報の取得要求とを受信したメーカーサーバ４は、ユーザＰＣ１の正規表現の製造番号及び型番に関連付けられた販売関連情報を受注ＤＢ５から検索する（Ｓ４１０、Ｓ４１１）。広告業者サーバ２から受信した正規表現の製造番号と型番は“ｔｋ１２３＊＊６”、“ｎｅ９８７６”であるため、これに関連付けられた販売関連情報として、最大１００通りの情報が受注ＤＢ５から抽出される。そして、メーカーサーバ４は、受注ＤＢ５から抽出したユーザＰＣ１に関する全ての販売関連情報を広告業者サーバ２に送信する（Ｓ４１２）。
【００６９】
メーカーサーバ４から販売関連情報を受信した広告業者サーバ２は、該販売関連情報に関連付けられた広告関連情報を広告ＤＢ３から検索する（Ｓ４１３、Ｓ４１４）。メーカーサーバ４から受信した販売関連情報に関連付けられた広告関連情報として、最大１００通りの情報が広告ＤＢ３から抽出される。そして、広告業者サーバ２は、広告ＤＢ３から抽出した最大１００通りのウェブページＵＲＬに対応する販売店のウェブページをユーザＰＣ１に送信する（Ｓ４１５）。なお、広告業者サーバ２は、メーカーサーバ４からの販売関連情報及び抽出結果である広告関連情報も、ウェブページとともに送信する。
【００７０】
ユーザＰＣ１は、正規表現の端末識別情報に関連する全てのウェブページ、販売関連情報、広告関連情報を受信する（Ｓ４１６）。次いで、端末識別情報そのもの（正規表現でない端末識別情報）、販売関連情報、広告関連情報を用い、表示する広告として、受信した全てのウェブページの中から該端末識別情報に関連するウェブページを選択する（Ｓ４１７）。つまり、製造番号“ｔｋ１２３＊＊６”、型番“ｎｅ９８７６”に関連した最大１００通りのウェブページの中から、製造番号“ｔｋ１２３４５６”、型番“ｎｅ９８７６”に関連した１つのウェブページが選択される。そして、ユーザＰＣ１は、選択された販売店のウェブページを表示する（Ｓ４１８）。
【００７１】
上述した実施形態によれば、共通の工場出荷マスタでＰＣのブラウザ設定を行ったうえで、法人ユーザごとにマッチした広告を提供でき、販売チャネルに応じたマーケティングを行うことが可能となる。
【００７２】
また、上述した実施形態によれば、販売商品や販売時期といった販売情報を用いて自在にユーザを特定することで、よりきめ細やかで戦略的なマーケティングを法人市場というマスマーケットに適用できる。
【００７３】
そして、上述した実施形態によれば、法人ユーザと販売店との実効的なコミュニケーションツールとしての役割が期待でき、販売店の満足度を上げるとともに、販売チャネルの拡充・強化を図ることが可能である。
【００７４】
さらに、上述した実施形態によれば、クライアント側からサーバ側に提供される端末識別情報が正規表現で表された情報であり、サーバ側でクライアント側を特定できないため、ユーザのプライバシー保護を担保することが可能である。
【００７５】
なお、上述した実施形態は、本発明の好適な実施形態であり、上記実施形態のみに本発明の範囲を限定するものではなく、本発明の要旨を逸脱しない範囲において種々の変更を施した形態での実施が可能である。
【００７６】
すなわち、本実施形態におけるサーバ装置の各手段（端末情報取得手段、広告情報取得手段、広告情報送信手段、販売情報取得手段）は、上述したように、コンピュータ（ＣＰＵ）が所定の記録媒体（メモリ）からプログラムを読み出して実行することにより主記憶装置上にロードされて生成されるソフト的な実現の他、例えば回路等のハードウエアを用いてハード的に実現するように構成してもよい。なお、前者の場合、ソフトウェアが実際のハードウエアを用いて具体的手段を実現することとなる。
【００７７】
本実施形態におけるサーバ装置で実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００７８】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００７９】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【符号の説明】
【００８０】
１    ユーザＰＣ
２    広告業者サーバ
３    広告ＤＢ
４    メーカーサーバ
５    受注ＤＢ
６    ネットワーク
１２０，１４０，２２０，２４０，３４０，４１０    制御部
１２１，２４１，３２１    端末情報取得手段
１２２，２２１，３２３    広告情報取得手段
１２３，２４３，３２４    広告情報送信手段
１４１，２４２，３２２    販売情報取得手段
４１１    端末情報変換手段
４１２    端末情報送信手段
４１３    表示広告選択手段
４１４    広告表示手段
【図１】
0005513106.tif 000002
【図２】
0005513106.tif 000003
【図３】
0005513106.tif 000004
【図４】
0005513106.tif 000005
【図５】
0005513106.tif 000006
【図６】
0005513106.tif 000007
【図７】
0005513106.tif 000008
【図８】
0005513106.tif 000009
【図９】
0005513106.tif 000010
【図１０】
0005513106.tif 000011
【図１１】
0005513106.tif 000012
【図１２】
0005513106.tif 000013